【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
持続音用の波形データをダイナミクス値に対応づけてそれぞれ記憶する記憶手段と、
持続音を発生すべきとき、該発生すべき持続音を制御するためのダイナミクス値を所定の時間間隔で間欠的に取得する手段と、
取得したダイナミクス値に対応する波形データを前記記憶手段から取得し、該取得した波形データに基づき持続音部分の楽音波形を生成する楽音生成手段と
を具えた楽音合成装置。
【請求項２】
異なるピッチずれに対応する複数の波形データを含むユニットを、ダイナミクス値に対応づけて、複数記憶する記憶手段と、
発生すべき楽音を制御するためのダイナミクス値を所定の時間間隔で間欠的に取得する手段と、
発生すべき楽音のピッチ変調を制御するピッチ変調情報を取得する手段と、
取得したダイナミクス値に対応するユニットを前記記憶手段から選択し、かつ、該選択されたユニット中から前記取得したピッチ変調情報に対応する波形データを取得し、該取得した波形データに基づき楽音波形を生成し、これにより、該取得したピッチ変調情報に従ってピッチ変調された前記楽音波形を生成する楽音生成手段と
を具えた楽音合成装置。
【請求項３】
時間的にピッチが変動する特性を実現する複数の波形データを含むユニットを、ダイナミクス値に対応づけて、複数記憶する記憶手段と、
時間的にピッチが変動する特性の楽音を発生すべきとき、該発生すべき楽音を制御するためのダイナミクス値を取得する手段と、
取得したダイナミクス値に対応するユニットの波形データを前記記憶手段から取得し、該取得したユニットの前記複数の波形データに基づき、時間的にピッチが変動する特性の楽音波形を生成し、これにより、前記取得したダイナミクス値に対応する特性でピッチが時間的に変動する前記楽音波形を生成する楽音生成手段と
を具えた楽音合成装置。
【請求項４】
前記ユニットは、ビブラート特性を実現する複数の波形データを含むものである請求項３に記載の楽音合成装置。
【請求項５】
前記記憶手段は、前記波形データ又は前記ユニットを、個別の音高又は音域につき前記ダイナミクス値に対応づけてそれぞれ記憶するものである請求項１乃至４のいずれかに記載の楽音合成装置。
【請求項６】
時間的にピッチが変動するビブラート特性を実現する複数の波形データを含むユニットを少なくとも1つ記憶する記憶手段と、ここで、1つの前記ユニットは特定のビブラート深さに対応し、1つの前記ユニットに含まれる前記複数の波形データにおける各波形データは前記特定のビブラート深さ内の種々のピッチずれに対応しており、
ビブラートの深さを制御する深さ制御情報を取得する手段と、
前記ユニットの波形データを前記記憶手段から取得し、該取得したユニットの前記複数の波形データと前記取得した深さ制御情報に基づき、ビブラート特性の楽音波形を生成する楽音生成手段であって、前記取得した深さ制御情報に応じてビブラートの深さを前記特定のビブラート深さよりも浅くするよう制御する際には、前記取得したユニット内の前記複数の波形データのうち前記取得した深さ制御情報が示すビブラートの深さに対応するピッチずれよりも大きなピッチずれに対応する波形データを使用せずに前記楽音波形を生成するものと
を具えた楽音合成装置。
【請求項７】
持続音用の波形データをダイナミクス値に対応づけてそれぞれ記憶するメモリを使用して、コンピュータに、
持続音を発生すべきとき、該発生すべき持続音を制御するためのダイナミクス値を所定の時間間隔で間欠的に取得する手順と、
取得したダイナミクス値に対応する波形データを前記メモリから取得し、該取得した波形データに基づき持続音部分の楽音波形を生成する手順と
を実行させるプログラム。
【請求項８】
異なるピッチずれに対応する複数の波形データを含むユニットを、ダイナミクス値に対応づけて、複数記憶するメモリを使用して、コンピュータに、
発生すべき楽音を制御するためのダイナミクス値を所定の時間間隔で間欠的に取得する手順と、
発生すべき楽音のピッチ変調を制御するピッチ変調情報を取得する手順と、
取得したダイナミクス値に対応するユニットを前記メモリから選択し、かつ、該選択されたユニット中から前記取得したピッチ変調情報に対応する波形データを取得し、該取得した波形データに基づき楽音波形を生成し、これにより、該取得したピッチ変調情報に従ってピッチ変調された前記楽音波形を生成する手順と
を実行させるプログラム。
【請求項９】
時間的にピッチが変動する特性を実現する複数の波形データを含むユニットを、ダイナミクス値に対応づけて、複数記憶するメモリを使用して、コンピュータに、
時間的にピッチが変動する特性の楽音を発生すべきとき、該発生すべき楽音を制御するためのダイナミクス値を取得する手順と、
取得したダイナミクス値に対応するユニットの波形データを前記メモリから取得し、該取得したユニットの前記複数の波形データに基づき、時間的にピッチが変動する特性の楽音波形を生成し、これにより、前記取得したダイナミクス値に対応する特性でピッチが時間的に変動する前記楽音波形を生成する手順と
を実行させるプログラム。
【請求項１０】
時間的にピッチが変動するビブラート特性を実現する複数の波形データを含むユニットを少なくとも1つ記憶するメモリにおいて、1つの前記ユニットは特定のビブラート深さに対応し、1つの前記ユニットに含まれる前記複数の波形データにおける各波形データは前記特定のビブラート深さ内の種々のピッチずれに対応しており、前記メモリを使用して、コンピュータに、
ビブラートの深さを制御する深さ制御情報を取得する手順と、
前記ユニットの波形データを前記メモリから取得し、該取得したユニットの前記複数の波形データと前記取得した深さ制御情報に基づき、ビブラート特性の楽音波形を生成する手順であって、前記取得した深さ制御情報に応じてビブラートの深さを前記特定のビブラート深さよりも浅くするよう制御する際には、前記取得したユニット内の前記複数の波形データのうち前記取得した深さ制御情報が示すビブラートの深さに対応するピッチずれよりも大きなピッチずれに対応する波形データを使用せずに前記楽音波形を生成するものと
を実行させるプログラム。
【手続補正２】
【補正対象書類名】明細書
【補正対象項目名】０００８
【補正方法】変更
【補正の内容】
【０００８】
本発明の請求項２に係る楽音合成装置は、異なるピッチずれに対応する複数の波形データを含むユニットを、ダイナミクス値に対応づけて、複数記憶する記憶手段と、発生すべき楽音を制御するためのダイナミクス値を所定の時間間隔で間欠的に取得する手段と、発生すべき楽音のピッチ変調を制御するピッチ変調情報を取得する手段と、取得したダイナミクス値に対応するユニットを前記記憶手段から選択し、かつ、該選択されたユニット中から前記取得したピッチ変調情報に対応する波形データを取得し、該取得した波形データに基づき楽音波形を生成し、これにより、該取得したピッチ変調情報に従ってピッチ変調された前記楽音波形を生成する楽音生成手段とを具える。これによると、取得したダイナミクス値に対応する、異なるピッチずれに対応する複数の波形データを含むユニットの中から、ピッチ変調情報に対応する波形データを取得し、これに基づき楽音波形を生成することから、ビブラートやピッチベンドなど時間的にピッチ変化する楽音波形をその音色も微妙に変化させうるように高品質な特性で合成することができる。
【手続補正３】
【補正対象書類名】明細書
【補正対象項目名】０００９
【補正方法】変更
【補正の内容】
【０００９】
本発明の請求項３に係る楽音合成装置は、時間的にピッチが変動する特性を実現する複数の波形データを含むユニットを、ダイナミクス値に対応づけて、複数記憶する記憶手段と、時間的にピッチが変動する特性の楽音を発生すべきとき、該発生すべき楽音を制御するためのダイナミクス値を取得する手段と、取得したダイナミクス値に対応するユニットの波形データを前記記憶手段から取得し、該取得したユニットの前記複数の波形データに基づき、時間的にピッチが変動する特性の楽音波形を生成し、これにより、前記取得したダイナミクス値に対応する特性でピッチが時間的に変動する前記楽音波形を生成する楽音生成手段とを具える。これによると、取得したダイナミクス値に応じて、時間的にピッチが変動する特性を実現する複数の波形データを含むユニットの波形データに基づき楽音波形を生成することから、ビブラートやピッチベンドなど時間的にピッチ変化する楽音波形をその音色も微妙に変化させうるように高品質な特性で合成することができる。
【手続補正４】
【補正対象書類名】明細書
【補正対象項目名】００１０
【補正方法】変更
【補正の内容】
【００１０】
本発明の請求項６に係る楽音合成装置は、時間的にピッチが変動するビブラート特性を実現する複数の波形データを含むユニットを少なくとも1つ記憶する記憶手段と、ここで、1つの前記ユニットは特定のビブラート深さに対応し、1つの前記ユニットに含まれる前記複数の波形データにおける各波形データは前記特定のビブラート深さ内の種々のピッチずれに対応しており、ビブラートの深さを制御する深さ制御情報を取得する手段と、前記ユニットの波形データを前記記憶手段から取得し、該取得したユニットの前記複数の波形データと前記取得した深さ制御情報に基づき、ビブラート特性の楽音波形を生成する楽音生成手段であって、前記取得した深さ制御情報に応じてビブラートの深さを前記特定のビブラート深さよりも浅くするよう制御する際には、前記取得したユニット内の前記複数の波形データのうち前記取得した深さ制御情報が示すビブラートの深さに対応するピッチずれよりも大きなピッチずれに対応する波形データを使用せずに前記楽音波形を生成するものとを具える。これによると、深さ制御情報に応じて、時間的にピッチが変動するビブラート特性を実現する複数の波形データを含むユニットのうち、大きなピッチずれに対応する波形データを使用せずに、ビブラートの深さを浅くするよう制御した楽音波形を生成することから、ビブラートの深さ制御を高品質に行うことができる。